(57)【要約】【課題】映像信号の輝度のヒストグラムに応じてガンマ補正が実行されるものでありながら、大きな時間軸ノイズを含む映像信号が入力されても、極力安定した画像を表示することが可能な画像表示装置を提供する。【解決手段】映像表示装置であって、入力される映像信号に含まれる時間軸ノイズの大きさに応じて、該装置における処理形態を、第１処理形態と第２処理形態の何れかに設定する処理形態設定部と、ガンマ補正を施すガンマ補正部と、映像信号における輝度のヒストグラムを計測し、該計測の結果に応じたガンマカーブを導出するとともに、該導出の結果に基づいてガンマ補正に用いられるガンマカーブを設定するガンマカーブ設定部と、を備え、ガンマカーブ設定部は、前記処理形態が第２処理形態に設定されている場合、ガンマカーブが設定され得る範囲を、所定の許容範囲内に制限する映像表示装置とする。【選択図】図３
2010028609.tif 000002
【特許請求の範囲】
【請求項１】
映像信号が入力され、該映像信号に基づいた映像表示を行う映像表示装置であって、
前記映像信号に含まれる時間軸ノイズの大きさに応じて、該映像表示装置における処理形態を、第１処理形態と第２処理形態の何れかに設定する処理形態設定部と、
前記映像信号に対し、ガンマ補正を施すガンマ補正部と、
前記映像信号における輝度のヒストグラムを計測し、該計測の結果に応じてガンマカーブを導出するとともに、該導出されたガンマカーブに基づいて前記ガンマ補正に用いられるガンマカーブを設定するガンマカーブ設定部と、
を備え、
前記ガンマカーブ設定部は、
前記処理形態が第２処理形態に設定されている場合、
前記ガンマカーブが設定され得る範囲を、所定の許容範囲内に制限することを特徴とする映像表示装置。
【請求項２】
前記処理形態設定部は、
所定閾値を超える大きさの前記ノイズが、複数フィールド連続して検出されたか否かを判断し、
該判断の結果に応じて、前記処理形態を、第１処理形態と第２処理形態の何れかに設定することを特徴とする請求項１に記載の映像表示装置。
【請求項３】
前記ガンマカーブ設定部は、
前記処理形態が第１処理形態に設定されている場合には、
前記導出されたガンマカーブを、前記ガンマ補正に用いられるガンマカーブとして設定し、
前記処理形態が第２処理形態に設定されている場合には、
前記導出されたガンマカーブが前記許容範囲を逸脱していないときは、該導出されたガンマカーブを、前記ガンマ補正に用いられるガンマカーブとして設定する一方、
前記導出されたガンマカーブが前記許容範囲を逸脱しているときは、該導出されたガンマカーブを、前記許容範囲内に収まるよう修正した上で、前記ガンマ補正に用いられるガンマカーブとして設定することを特徴とする請求項２に記載の映像表示装置。
【請求項４】
前記映像信号に含まれる時間軸ノイズの大きさを低減させる処理（「ノイズリダクション処理」とする）を実行するノイズリダクション処理部を備え、
該ノイズリダクション処理部は、
前記処理形態が第２処理形態に設定されている場合には、該ノイズリダクション処理を実行する一方、
前記処理形態が第１処理形態に設定されている場合には、該ノイズリダクション処理を実行しないことを特徴とする請求項１から請求項３の何れかに記載の映像表示装置。
【請求項５】
前記ノイズリダクション処理部は、
ユーザによる前記ノイズリダクション処理の実行指示があった場合には、前記処理形態の設定内容に関わらず、前記ノイズリダクション処理を実行することを特徴とする請求項４に記載の映像表示装置。
【請求項６】
テレビジョン放送を受信するとともに、該テレビジョン放送に係る番組の映像を表示するテレビジョン受像機器であることを特徴とする請求項１から請求項５の何れかに記載の映像表示装置。
【発明の詳細な説明】
【技術分野】
【０００１】
本発明は、映像信号に基づいて映像を表示する映像表示装置に関する。
【背景技術】
【０００２】
従来、外部から入力された映像信号に基づいて映像表示を行う映像表示装置が、広く用いられている。ここで従来の映像表示装置の構成について、図６に示す構成のものを例に挙げて、以下に簡潔に説明する。
【０００３】
図６に示すように、映像表示装置１００は、映像信号入力部１０１、映像信号処理部１０２、パネル１０３、ヒストグラム計測部１０４、ＡＩ［Artificial Intelligence］部１０５、およびＵＩ［User Interface］１０６などを備えている。映像表示装置１００では、外部から映像信号入力部１０１に、映像信号が入力されるようになっている。
【０００４】
入力された映像信号は、映像信号処理部１０２に伝送されて、ノイズリダクション、ＩＰ変換、パネル１０３に対応した解像度変換、シャープネス処理、画質調整、ガンマ補正、Ｙ／Ｃｂ／Ｃｒ形式からＲＧＢ形式への信号形式の変換などが、適宜施される。そしてパネル１０３は、これらの処理が施された映像信号を用いて、映像表示を表示する。
【０００５】
また入力された映像信号は、ヒストグラム計測部１０４によって輝度に関するヒストグラムが計測され、この計測結果はＡＩ部１０５に伝送される。またＵＩ１０６は、ユーザによるノイズリダクションのＯＮ／ＯＦＦ切替指示を受付け、この指示内容はＡＩ部１０５に伝送される。
【０００６】
そしてＡＩ部１０５は、ノイズリダクションのＯＮ／ＯＦＦ切替指示に応じて、映像信号処理部１０２を制御する。これにより、例えば映像を見ているユーザが、映像中にノイズが多いと感じた場合に、ノイズリダクションをＯＮさせることが可能となっている。
【０００７】
またＡＩ部１０５は、映像信号の輝度のヒストグラムに基づいて、ガンマ補正に用いられるガンマカーブを、定期的に導出して設定更新する。このガンマカーブは、映像の輝度についての入出力特性を示すものであり、例えば図７におけるＡ〜Ｅで示すように設定される。そしてガンマ補正では、設定されたガンマカーブを用いて、パネル１０３が表示する映像の明るさが適切となるように、映像信号が補正される。なおガンマカーブが定期的に設定更新されると、被写体の明暗が変動する場合であっても、これに追従した適切なガンマ補正が可能となる。
【特許文献１】特開２００６−９３７５３号公報
【発明の開示】
【発明が解決しようとする課題】
【０００８】
ところで映像信号の種類によっては、時間軸ノイズ（フィールド若しくはフレーム同士の輝度に関する誤差）の大きさが比較的大きくなっている場合がある。特に、高感度カメラによって撮影された映像（以下、「高感度カメラ映像」と称する）に係る映像信号は、一般的にランダムノイズが混入しやすく、大きなノイズが混在している可能性が高い。
【０００９】
このような大きな時間軸ノイズを含む映像信号が入力されている場合、先述したような映像表示装置では、ヒストグラムの検出結果が、被写体の如何に関わらず、頻繁に（例えばフレームごとに）大きく変動することになる。そのため、当該ヒストグラムに基づいて導出されるガンマカーブも不安定となるおそれがあり、このようなガンマカーブがそのまま設定更新に用いられると、適切なガンマ補正の実行が困難となる。その結果、パネルに表示される映像が、例えば明るい画像と暗い画像が頻繁に入れ替わるようになる（フリッカーが多くなる）等、非常に不安定な状態となる。
【００１０】
本発明は、上述した問題点に鑑み、入力された映像信号における輝度のヒストグラムに応じてガンマ補正が実行されるものでありながら、大きな時間軸ノイズを含む映像信号が入力されても、極力安定した画像を表示することが可能な画像表示装置の提供を目的とする。
【課題を解決するための手段】
【００１１】
上記目的を達成するため、本発明に係る画像表示装置は、映像信号が入力され、該映像信号に基づいた映像表示を行う映像表示装置であって、前記映像信号に含まれる時間軸ノイズの大きさに応じて、該映像表示装置における処理形態を、第１処理形態と第２処理形態の何れかに設定する処理形態設定部と、前記映像信号に対し、ガンマ補正を施すガンマ補正部と、前記映像信号における輝度のヒストグラムを計測し、該計測の結果に応じてガンマカーブを導出するとともに、該導出されたガンマカーブに基づいて前記ガンマ補正に用いられるガンマカーブを設定するガンマカーブ設定部と、を備え、前記ガンマカーブ設定部は、前記処理形態が第２処理形態に設定されている場合、前記ガンマカーブが設定され得る範囲を、所定の許容範囲内に制限する構成とする。
【００１２】
本構成によれば、入力された映像信号における輝度のヒストグラムに応じた、ガンマ補正が実行される。また例えば高感度カメラ映像の信号のように、大きな時間軸ノイズを含む映像信号が入力される場合でも、ガンマカーブが許容範囲を逸脱して設定されることを防止することが容易となる。そのため、不安定なガンマ補正が実行されることを防止し、極力安定した画像を表示させることが容易となる。
【００１３】
また上記構成において、前記処理形態設定部は、所定閾値を超える大きさの前記ノイズが、複数フィールド連続して検出されたか否かを判断し、該判断の結果に応じて、前記処理形態を、第１処理形態と第２処理形態の何れかに設定する構成としてもよい。
【００１４】
本構成によれば、例えば、何らかの原因によって一時的に大きなノイズを含む映像信号が入力されただけで、映像信号が高感度カメラ映像によるものと誤って判別される事態を、極力防ぐことが可能となる。
【００１５】
また上記構成において、前記ガンマカーブ設定部は、前記処理形態が第１処理形態に設定されている場合には、前記導出されたガンマカーブを、前記ガンマ補正に用いられるガンマカーブとして設定し、前記処理形態が第２処理形態に設定されている場合には、前記導出されたガンマカーブが前記許容範囲を逸脱していないときは、該導出されたガンマカーブを、前記ガンマ補正に用いられるガンマカーブとして設定する一方、前記導出されたガンマカーブが前記許容範囲を逸脱しているときは、該導出されたガンマカーブを、前記許容範囲内に収まるよう修正した上で、前記ガンマ補正に用いられるガンマカーブとして設定する構成としてもよい。
【００１６】
本構成によれば、ガンマ補正用いられるガンマカーブを、極力、映像信号における輝度のヒストグラムに応じたものとしつつ、必要な場合にのみ、許容範囲内に収まるようにガンマカーブを修正することが可能となる。そのため、ガンマカーブの修正頻度を必要最小限に抑えることが可能となる。
【００１７】
また上記構成において、前記映像信号に含まれる時間軸ノイズの大きさを低減させる処理（「ノイズリダクション処理」とする）を実行するノイズリダクション処理部を備え、該ノイズリダクション処理部は、前記処理形態が第２処理形態に設定されている場合には、該ノイズリダクション処理を実行する一方、前記処理形態が第１処理形態に設定されている場合には、該ノイズリダクション処理を実行しない構成としてもよい。
【００１８】
本構成によれば、ノイズの大きさが比較的小さい場合には、ノイズリダクション処理を不実行として処理負担を軽減しつつ、ノイズの大きさが比較的大きい場合には、ノイズリダクション処理を実行して、ノイズの大きさを極力低減させることが可能となる。
【００１９】
また上記構成において、前記ノイズリダクション処理部は、ユーザによる前記ノイズリダクション処理の実行指示があった場合には、前記処理形態の設定内容に関わらず、前記ノイズリダクション処理を実行する構成としてもよい。
【００２０】
本構成によれば、例えば、表示映像を見ているユーザが、映像中にノイズが多いと判断した場合に、適宜ノイズリダクション処理を実行させることが可能となる。
【００２１】
また上記構成としてより具体的には、テレビジョン放送を受信するとともに、該テレビジョン放送に係る番組の映像を表示するテレビジョン受像機器である構成としてもよい。
【発明の効果】
【００２２】
上述したように、本発明に係る画像表示装置によれば、入力された映像信号における輝度のヒストグラムに応じた、ガンマ補正が実行される。また例えば高感度カメラ映像の信号のように、大きな時間軸ノイズを含む映像信号が入力される場合でも、ガンマカーブが許容範囲を逸脱して設定されることを防止することが容易となる。そのため、不安定なガンマ補正が実行されることを防止し、極力安定した画像を表示させることが容易となる。
【発明を実施するための最良の形態】
【００２３】
本発明の実施形態について、受信された映像信号に基づいて映像表示を行う映像表示装置を例に挙げて、以下に説明する。まず本映像表示装置の構成について、図１に示すブロック図を参照しながら説明する。
【００２４】
本図に示すように、映像表示装置１は、デジタルチューナ１１、デジタル信号復調回路１２、ＭＰＥＧ２デコーダ１３、アナログチューナ２１、ＣＶＢＳ／Ｓ信号受信部２２、切替スイッチ２３、ＡＤコンバータ２４、カラーデコーダ２５、アナログコンポーネント信号受信部３１、ＡＤコンバータ３２、ＨＤＭＩ信号受信部４１、デジタルセレクタ５１、ノイズリダクション部５２、ＩＰコンバータ５３、スケーラ５４、シャープネス処理部５５、画質調整部５６、ガンマ補正部５７、マトリクス部５８、パネル５９、ヒストグラム計測部６１、ノイズ測定部６２、ＡＩ［Artificial Intelligence］部６３、およびユーザインターフェース６４などを備えている。
【００２５】
デジタルチューナ１１は、前段のアンテナによって受信された、地上デジタル放送、ＢＳデジタル放送、或いはＣＳデジタル放送の映像信号が入力される。そして入力された映像信号に対して所定チャンネルの信号を選局し、後段側に出力する。なおこの映像信号は、ＭＰＥＧ２による圧縮処理、および所定の変調処理が施されている。
【００２６】
デジタル信号復調回路１２は、デジタルチューナ１１側から伝送されてきた映像信号（変調された状態の信号）に対して、復調処理を施す。またＭＰＥＧ２デコーダ１３は、デジタル信号復調回路１２から伝送されてきた映像信号に対して、ＭＰＥＧ２による圧縮を解除する。
【００２７】
アナログチューナ２１は、前段のアンテナによって受信された、地上アナログ放送の映像信号が入力され、この入力された信号に対して選局処理を施す。またＣＶＢＳ／Ｓ信号入力部２２は、外部からＣＶＢＳ／Ｓの映像信号が入力される。また切替スイッチ２３は、アナログチューナ２１とＣＶＢＳ／Ｓ信号入力部２２の何れかを、後段側のＡＤコンバータ２４へ、切替可能に接続する。この切替は、ＡＩ部６３によって制御される。
【００２８】
カラーデコーダ２５は、ＡＤコンバータ２４から伝送されてきた地上アナログ放送の信号、或いは、ＣＶＢＳ／Ｓ信号による映像信号を、Ｙ、Ｃｂ、およびＣｒの要素を含むデジタルのコンポーネント信号に変換する。
【００２９】
アナログコンポーネント信号入力部３１は、外部から、Ｙ、Ｃｂ、およびＣｒの要素を含むアナログのコンポーネント信号が入力される。当該アナログのコンポーネント信号は、後段側のＡＤコンバータ３２によって、デジタルのコンポーネント信号に変換される。またＨＤＭＩ信号受信部４１は、ＨＤＭＩによる映像信号を受信して、Ｙ、Ｃｂ、およびＣｒの要素を含むデジタルのコンポーネント信号に変換する。
【００３０】
一方、デジタルセレクタ５１は、ＭＰＥＧ２デコーダ１３、カラーデコーダ２５、ＡＤコンバータ３２、およびＨＤＭＩ信号受信部４１の各々に接続されている。そしてこれらのうちの何れかを、後段側の回路に接続し、映像信号が後段側に伝送されるようにする。なお、何れが後段側の回路に接続されるかについては、ＡＩ部６３によって制御される。
【００３１】
ノイズリダクション部５２は、デジタルセレクタ５１から伝送されてきた映像信号に対して、当該映像信号に含まれる時間軸ノイズの大きさを低減させるための、ノイズリダクション処理を施す。このノイズリダクション処理は、例えば、連続する２フレームの画像を比較して平均化を行い、得られた差分信号をノイズと認識して除去する、３ＤＮＲ［3-Dimensional Noise Reduction］の手法等によって実現される。またノイズリダクション部５２は、ＡＩ部６３の指示に応じて、ノイズリダクション処理の実行／不実行が切替えられるようになっている。
【００３２】
ＩＰコンバータ５３は、ノイズリダクション部５２から伝送されてきたインターレース方式の映像信号を、プログレッシブ方式の映像信号に変換するＩＰ変換処理を行う。なお伝送されてきた信号がプログレッシブ方式のものであれば、特に処理を行わない。またＩＰコンバータ５３は、前後フィールドの動きを考慮せず、単にこれらのフィールドの（偶奇の）走査線を合成することによるＩＰ変換（以下、「通常のＩＰ変換」とする）と、前後フィールドの動きが考慮される、いわゆる動き適応型ＩＰ変換と、の何れかを、状況に応じて切替えて実行する。
【００３３】
より具体的には、ＩＰコンバータ５３は、現在もしくは直近のフレームにおける時間軸方向の差分の最大値（もしくは平均値等）が、予め設定されている閾値（以下、「ＩＰ変換閾値」と称する）を超えているか否かを判別する。その結果、超えていないと判別されれば（つまり、比較的動きの小さい映像と判断されれば）、通常のＩＰ変換を実行し、超えていると判別されれば（つまり、比較的動きの大きい映像と判断されれば）、動き対応型ＩＰ変換を実行する。なおこのＩＰ変換閾値は、動き検出の感度と見ることもできる。
【００３４】
また後述するように、「ＩＰ変換閾値」は、ＡＩ部６３の指示に応じて、通常レベルと、ローレベル（通常レベルよりも低いレベル）の何れかに設定されるようになっている。ＩＰ変換閾値がローレベルに設定された場合は、通常レベルが設定された場合に比べ、動き適応型ＩＰ変換が採用されやすくなる。なお「動き適応型ＩＰ変換」自体は公知技術であり、例えば動き検出の結果に応じて、同一フィールド内の対向する２走査線から、その間の走査線が適宜補間される方法などが挙げられる。
【００３５】
スケーラ５４は、ＩＰコンバータ５３から伝送されてきた映像信号の解像度を、パネル５９に適合した解像度に変換する。またシャープネス処理部５５は、スケーラ５４から伝送されてきた映像信号に対して、鮮鋭度を向上させるためのシャープネス処理を実行する。なおシャープネス処理自体は公知技術であり、例えば、水平方向と垂直方向について輝度信号の輪郭部分が強調されるように、映像信号が補正されることによって実現される。
【００３６】
またシャープネス処理部５５は、シャープネス特性、すなわち輪郭部分を強調させる（補正する）度合が、ＡＩ部６３の指示に応じて、切替えられるようになっている。より具体的には、シャープネス特性が、通常の状態と、通常よりも強調が緩和された状態（緩和状態）の何れかに切替えられる。
【００３７】
画質調整部５６は、シャープネス処理部５５から伝送されてきた映像信号に対して、ブライト、コントラスト、カラー、およびティント等の調整を行う。またガンマ補正部５７は、画質調整部５６から伝送されてきた映像信号に対して、ガンマ補正を実行する。なお当該ガンマ補正に用いられるガンマカーブの内容は、ＡＩ部６３によって設定される。
【００３８】
マトリクス部５８は、ガンマ補正部５７から伝送されてきたＹ／Ｃｂ／Ｃｒ形式の映像信号を、ＲＧＢ（赤、緑、青）形式の映像信号に変換する。ＲＧＢ形式に変換された映像信号は、パネル５９に伝送され、この映像信号に基づいた映像が表示されることになる。
【００３９】
またヒストグラム計測部６１は、デジタルセレクタ５１からノイズリダクション部５２に伝送される映像信号について、輝度に関するヒストグラムを計測する。またノイズ計測部６２は、デジタルセレクタ５１からノイズリダクション部５２に伝送される映像信号について、時間軸ノイズの大きさを計測する。
【００４０】
なおノイズ計測部６２の概略的な構成内容を、図２に示す。本図に示すようにノイズ計測部６２は、映像信号を１フィールド分遅延させるためのラッチ部７１、２方向から入力された情報の差分を算出する差分算出部７２、および差分算出部７２から伝送された差分情報に基づいて映像信号におけるノイズ量を計測する計測部７３を備えている。
【００４１】
かかる構成のノイズ計測部６２によれば、現在（ｎ番目）のフィールドと一つ前（ｎ−１番目）のフィールドにおける各画素の輝度情報が、それぞれ差分算出部７２に入力され、これらの差分が算出される。計測部７３は、この差分情報に基づいて、映像信号における時間軸ノイズの大きさを計測する。そしてこの計測結果が、ＡＩ部６３に出力されることになる。
【００４２】
ＡＩ部６３は、例えばＣＰＵ［Central Processing Unit］が用いられて形成されており、映像表示装置１において実行される種々の処理を制御する。なお映像信号の処理に関わる主な制御の内容については、改めて説明する。
【００４３】
またユーザインターフェース６４は、例えばボタン式スイッチ等を備えており、ユーザによる各種の指示を受ける。これにより映像表示装置１は、ユーザの意図を反映させた処理を行うことが可能である。
【００４４】
映像表示装置１は、上述した構成となっており、入力された映像信号に各種処理を施して、当該映像信号に基づいた映像を表示する。より具体的には、以下の通りである。
【００４５】
ＡＩ部６３は、デジタルチューナ１１、アナログチューナ２１、ＣＶＢＳ／Ｓ信号受信部２２、アナログコンポーネント信号受信部３１、およびＨＤＭＩ信号受信部４１の何れかが、ノイズリダクション部５２に接続されるように、切替スイッチ２３やデジタルセレクタ５１を制御する。これにより、選ばれた種類の映像信号が、デジタルセレクタ５１を介して、ノイズリダクション部５２に入力されることになる。
【００４６】
このように入力された映像信号は、映像信号を処理するための各部（５２〜５８）を経由し、所定の処理が施される。その後、当該映像信号は、パネル５９における映像の表示に用いられる。
【００４７】
このような一連の処理が実行される中、映像信号の種類や状態等に応じて各種の処理条件を自動的に設定する処理（以下、「処理条件設定処理」と称する）が、主にＡＩ部６３によって、定期的に（例えば所定数のフレームごとに）実行される。この処理条件設定処理は、高感度カメラ映像の信号のような、時間軸ノイズの比較的大きい映像信号が入力されている場合に、ノイズが映像表示に与える影響を極力低減させようとするものである。この処理条件設定処理の具体的な内容について、図３のフローチャートを参照しながら、以下に説明する。
【００４８】
まずＡＩ部６３は、現在入力されている映像信号（つまり、デジタルセレクタ５１を通過した映像信号）が、特定の形式の信号に該当するか否かを判断する（ステップＳ１）。ここでの「特定の形式の信号」は、例えば高感度カメラ映像の信号であった場合に、大きな時間軸ノイズが混入している可能性が高いと推定される信号のことである。具体的には、デジタル放送の信号、コンポーネント入力の信号（ただし、７２０ｐ、１０８０ｉ、または１０８０ｐのみ）、およびＨＤＭＩ入力の信号（ただし、７２０ｐ、１０８０ｉ、または１０８０ｐのみ）が、これに該当する。なお、アナログ放送、ＣＶＢＳ／Ｓの信号や、４８０ｉ、４８０ｐの信号は、高感度カメラ映像の信号であったとしても、伝送や記録の過程で周波数特性が抑えられた結果、大きなノイズが混入している可能性は低いと想定される。そのためこれらの信号については、「特定の形式の信号」から除外されている。
【００４９】
ステップＳ１の処理において、映像信号が特定の形式の信号に該当しないと判断された場合には（ステップＳ１のＮ）、映像信号に、大きな時間軸ノイズが混入している可能性は低いと想定される。そこで次に、映像信号の各処理が通常の処理形態（以下、「第１処理形態」と称する）で実行されるようにするための、各種処理条件の設定（ステップＳ２〜Ｓ５）が実行される。具体的には次の通りである。
【００５０】
まずＡＩ部６３は、以降、ノイズリダクション処理が不実行となるように、ノイズリダクション部５２を制御する（ステップＳ２）。これにより、映像表示装置１における処理負担が、ノイズリダクション処理の実行時に比べて、軽減されることになる。
【００５１】
またＡＩ部６３は、ヒストグラム計測部６１によるヒストグラムの計測結果に応じたガンマカーブを導出し、この導出されたガンマカーブを、ガンマ補正に用いられるガンマカーブとして設定する（ステップＳ３）。設定されたガンマカーブの情報は、ガンマ補正部５７に送られ、以降のガンマ補正に用いられることになる。なおこのとき、ガンマカーブが設定され得る範囲は特に制限されず、ヒストグラムの計測結果に応じたガンマカーブが、そのまま、ガンマ補正に用いられるガンマカーブとして設定される。
【００５２】
またＡＩ部６３は、ＩＰ変換閾値が通常レベルに設定されるように、ＩＰコンバータ５３を制御する（ステップＳ４）。またＡＩ部６３は、シャープネス特性が通常の状態となるように、シャープネス処理部５５を制御する（ステップＳ５）。ステップＳ５の処理が実行されたら、今回の処理条件設定処理は完了となる。
【００５３】
一方、ステップＳ１の処理において、映像信号が特定の形式の信号に該当すると判断された場合には（ステップＳ１のＹ）、映像信号が比較的大きな時間軸ノイズを含む可能性がやや高いと考えられる。そこでさらに、ＡＩ部６３は、ノイズ計測部６２の計測結果に基づいて、所定閾値を超える大きさの時間軸ノイズが、所定の複数フィールド（例えば６フィールド）連続して検出されたか否かを判断する（ステップＳ６）。その結果、このように検出されなかった場合には（ステップＳ６のＮ）、映像信号が大きな時間軸ノイズを含む可能性は低いと推測されるため、先述したステップＳ２の処理に進む。
【００５４】
しかし、このように検出された場合には（ステップＳ６のＹ）、さらにＡＩ部６３は、ヒストグラム計測部６１の計測結果に基づいて、連続するフィールド同士において、ヒストグラムの分布が急変したか否かを判断する（ステップＳ７）。この判断は、例えば、両ヒストグラムの差分が、所定の閾値を超えているかを判別することにより実行される。その結果、急変していなかったと判断された場合には（ステップＳ７のＮ）、映像信号が大きな時間軸ノイズを含む可能性は低いと推測されるため、先述したステップＳ２の処理に進む。
【００５５】
しかし、急変したと判断された場合には（ステップＳ７のＹ）、大きな時間軸ノイズが、映像信号に継続的に混入している可能性が極めて高いと推測される。そこで次に、映像信号の各処理が、画像表示等に及ぼすノイズの影響が極力低減される処理形態（以下、「第２処理形態」と称する）で実行されるようにするための、各種処理条件の設定（ステップＳ８〜Ｓ１１）が実行される。具体的には次の通りである。
【００５６】
先ずＡＩ部６３は、以降、ノイズリダクション処理が実行されるように、ノイズリダクション部５２を制御する（ステップＳ８）。これにより、映像信号に含まれている時間軸ノイズの大きさを低減させることが可能となる。その結果、大きな時間軸ノイズが画像表示に与える影響を、極力小さくすることが可能となる。
【００５７】
またＡＩ部６３は、ガンマ補正に用いられるガンマカーブを、所定の許容範囲内に収まるように（つまり当該許容範囲内に制限されるように）、設定する（ステップＳ９）。より具体的には、まず、ヒストグラム計測部６１によるヒストグラムの計測結果に応じたガンマカーブを導出し、このガンマカーブが所定の許容範囲を逸脱しているか否かが判別される。そして許容範囲内を逸脱していないと判別されたら、この導出されたガンマカーブが、そのままガンマ補正に用いられるガンマカーブとして設定される。
【００５８】
しかし許容範囲を逸脱していると判別されたら、この導出されたガンマカーブは、許容範囲内に収まるように修正された上で、ガンマ補正に用いられるガンマカーブとして設定される。例えば図４で示すように、基準線Ｓ１（γ＝１のときのガンマカーブに相当）を中心とした幅Ｗの範囲（一点鎖線Ｓ２とＳ３に挟まれた範囲）が許容範囲として設定されているとする。この場合、導出されたガンマカーブが破線Ｌ１のようであったとすると、このガンマカーブは実線Ｌ２のように、許容範囲内に収まるように修正された上で、ガンマ補正に用いられるガンマカーブとして設定される。
【００５９】
なおこの場合では、ガンマカーブの修正は、基準線Ｓ１からの距離を所定比率で全体的に縮小することにより実現されているが、当該修正の具体的な方法としては、他の方法が採用されても構わない。例えば、導出されたガンマカーブＬ１が、図５の実線Ｌ３で示す通りに修正されるようにしても良い。この方法によれば、許容範囲を逸脱する部分を、許容範囲の限界に張りつかせるようにして、導出されたガンマカーブが修正される。以上のようにして設定されたガンマカーブの情報は、ガンマ補正部５７に送られ、以降のガンマ補正に用いられることになる。
【００６０】
またＡＩ部６３は、ＩＰ変換閾値がハイレベルに設定されるように、ＩＰコンバータ５３を制御する（ステップＳ１０）。これにより、動き検出の感度が上がり、動き適応型ＩＰ変換が実行されやすくなる。その結果、ランダムノイズによるＩＰ変換の誤動作を、極力防止することが可能となる。
【００６１】
またＡＩ部６３は、シャープネス特性が緩和状態となるように、シャープネス処理部５５を制御する（ステップＳ１１）。これにより、ノイズが強調されることによる映像の劣化を、極力防ぐことが可能となる。ステップＳ１１の処理が実行されたら、今回の処理条件設定処理は完了となる。
【００６２】
以上に説明した処理条件設定処理が実行されることにより、映像表示装置１は、入力される映像信号が、高感度カメラ映像の信号のように、比較的大きい時間軸ノイズが混入しているものか否かに応じて、適切な処理条件を設定することが可能となっている。すなわち、映像信号に比較的大きい時間軸ノイズが混入していないと想定される場合は（ステップＳ１、Ｓ６、およびＳ７の何れかがＮのとき）、映像信号の各処理が第１処理形態となるように処理条件が設定され（ステップＳ２〜Ｓ５）、逆に混入していると想定される場合は（ステップＳ１、Ｓ６、およびＳ７の何れもがＹのとき）、映像信号の各処理が第２処理形態となるように処理条件が設定される（ステップＳ８〜Ｓ１１）。
【００６３】
なお上述したノイズリダクション処理は、ユーザによる実行指示があった場合には、処理条件設定処理の内容に関わらず（つまり、ステップＳ２の処理がなされた場合であっても）、実行されるようにしても良い。このようにすれば、表示映像を見ているユーザが、映像中にノイズが多いと判断した場合に、適宜ノイズリダクション処理を実行させることが可能となる。
【００６４】
なお本実施形態に係る映像表示装置１は、入力された映像信号に含まれる時間軸ノイズの大きさに応じて、映像表示装置における処理形態を、第１処理形態と第２処理形態の何れかに設定されるようになっている。また、映像信号における輝度のヒストグラムを計測し、該計測の結果に応じてガンマカーブを導出するとともに、該導出されたガンマカーブに基づいてガンマ補正に用いられるガンマカーブを設定し、設定されたガンマカーブを用いて、ガンマ補正を行うようになっている。そして更に、処理形態が第２処理形態に設定されている場合、ガンマカーブが設定され得る範囲（可変範囲）は、所定の許容範囲内に制限されるようになっている。
【００６５】
そのため映像表示装置１によれば、例えば高感度カメラ映像の信号のように、大きな時間軸ノイズを含む映像信号が入力される場合でも、ガンマカーブが許容範囲を逸脱して設定されることを防止することが容易となっている。その結果、不安定なガンマ補正が実行されることを防止し、極力安定した画像を表示させることが容易となっている。
【００６６】
以上、本発明の実施形態について説明したが、本発明はこの内容に限定されるものではない。また本発明の実施形態は、本発明の主旨を逸脱しない限り、種々の改変を加えることが可能である。
【産業上の利用可能性】
【００６７】
本発明は、受信された映像信号に基づいて映像表示を行う映像表示装置などの分野において利用可能である。
【図面の簡単な説明】
【００６８】
【図１】本発明の実施形態に係る、画像表示装置の構成図である。
【図２】ノイズ測定部の具体的な構成図である。
【図３】処理条件設定処理に関するフローチャートである。
【図４】本発明の実施形態に係る、ガンマカーブの設定に関する説明図である。
【図５】本発明の実施形態に係る、ガンマカーブの設定に関する説明図である。
【図６】従来の画像表示装置の一例に関する構成図である。
【図７】ガンマカーブに関する説明図である。
【符号の説明】
【００６９】
１１    デジタルチューナ
１２    デジタル信号復調回路
１３    ＭＰＥＧ２デコーダ
２１    アナログチューナ
２２    ＣＶＢＳ／Ｓ信号入力部
２３    切替スイッチ
２４    ＡＤコンバータ
２５    カラーデコーダ
３１    アナログコンポーネント信号入力部
３２    ＡＤコンバータ
４１    ＨＤＭＩ信号受信部
５１    デジタルセレクタ
５２    ノイズリダクション部
５３    ＩＰコンバータ
５４    スケーラ
５５    シャープネス処理部
５６    画質調整部
５７    ガンマ補正部
５８    マトリクス部
５９    パネル
６１    ヒストグラム計測部
６２    ノイズ測定部
６３    ＡＩ部
７１    ラッチ部
７２    差分算出部
７３    計測部
【図１】
2010028609.tif 000003
【図２】
2010028609.tif 000004
【図３】
2010028609.tif 000005
【図４】
2010028609.tif 000006
【図５】
2010028609.tif 000007
【図６】
2010028609.tif 000008
【図７】
2010028609.tif 000009